(57)【特許請求の範囲】
【請求項１】
受皿部と該受皿部に連成された排水管部とを備え、コンクリートの打設によって建物の露天床面に埋設施工されたルーフドレインの、その排水管部を囲繞するようにしてコンクリートの打設時に樋管挿通孔を形成する筒状スペーサの樋管挿入端側に連設される環状連結部材と、
雨水の流入側端部が前記環状連結部材に内嵌され、該流入側端部からテーパ部を介して小径となる流出側端部に仮設排水ホースが取付けられる継手管と
を備えてなり、
環状連結部材の内周面と継手管の流入側端部の外周面とに設けられた連結手段によって、環状連結部材と継手管とが着脱可能に連結されるようにしたことを特徴とするルーフドレイン用仮設排水装置。
【請求項２】
連結手段が、環状連結部材の内周面に形成された雌螺子部と、継手管の外周面に形成されて前記雌螺子部と螺合可能な雄螺子部とからなることを特徴とする請求項１記載のルーフドレイン用仮設排水装置。
【請求項３】
連結手段が、環状連結部材の内周面と継手管の外周面の、その何れか一方の周面に形成された係止突起と、他方の周面に形成されて前記係止突起が係脱可能に係合される係止溝とからなることを特徴とする請求項１記載のルーフドレイン用仮設排水装置。
【請求項４】
受皿部と該受皿部に連成された排水管部とを備え、コンクリートの打設によって建物の露天床面に埋設施工されたルーフドレインの、その排水管部を囲繞するようにしてコンクリートの打設時に樋管挿通孔を形成するものであって、該樋管挿通孔の樋管挿入端側に環状連結部が一体形成された筒状スペーサと、
雨水の流入側端部が前記環状連結部に内嵌され、該流入側端部からテーパ部を介して小径となる流出側端部に仮設排水ホースが取付けられる継手管と
を備えてなり、
環状連結部の内周面と継手管の流入側端部の外周面とに設けられた連結手段によって、筒状スペーサと継手管とが着脱可能に連結されるようにしたことを特徴とするルーフドレイン用仮設排水装置。
【発明の詳細な説明】
【技術分野】
【０００１】
本発明は、ベランダ，バルコニー等の露天床面に埋設施工されたルーフドレインに樋管を取付ける迄の間使用する仮設排水装置に関する。
【背景技術】
【０００２】
一般に、建物の各階に形成されるベランダ，バルコニー等の露天床面における雨水の排水手段は、各階の露天床面にルーフドレインを埋設施工するとともに、各ルーフドレインに取付けた樋管によって雨水を導いて下水溝へ排水し得るようになっている。
【０００３】
かかる排水手段にあって、各階の露天床面にルーフドレインを埋設施工した後、樋管を取付けるまでの期間中に降雨があると、各ルーフドレインから流れ落ちる雨水によって、階下の露天床面が水浸しになってしまう。
【０００４】
従来、ルーフドレインから階下の露天床面に雨水が流れ落ちることを防止するために使用する仮設排水装置としては、ルーフドレインの排水管部に外嵌される漏斗状の排水受具と、該排水受具の内壁に取付けられた固定金具と、該固定金具を上下に摺動可能に支持するとともに、上端にルーフドレインの受皿部の内底面に係止される回動可能な掛止片を設けた支持杆と、前記排水受具の下部に取付けられる仮設排水ホースとによって構成されたもの（例えば、特許文献１参照）や、仮設排水ホースの上部に取付けられた傘のように開閉する漏斗状の集水部を、外側がシートで覆われた複数の親骨と、各親骨の一端が回転可能に取付けられた固定リングと、該固定リングに下端が固定されたシャフトと、該シャフトにスライド可能に取付けられたスライドパイプと、該スライドパイプと親骨とに亘って取付けられた複数の支持骨とによって構成し、スライドパイプに取付けた目皿状の接合板をルーフドレインの受皿部内に取付けた状態で、スライドパイプに沿ってシャフトを引き上げることによって開かれる集水部を、ルーフドレインの下側に設置するようにしたもの（例えば、特許文献２参照）等が知られている。
【先行技術文献】
【特許文献】
【０００５】
【特許文献１】特許第３３２５４８４号公報
【特許文献２】特許第３８４０１０５号公報
【発明の概要】
【発明が解決しようとする課題】
【０００６】
ところで、上記のような従来構成にあっては、構造が複雑で部品点数が多く、製造時の組み付けに手間が掛かるため、製造コストが高いという問題点があった。
【０００７】
本発明は、かかる従来の問題点を解消するためになされたものであって、仮設排水ホースの着脱が容易にできるとともに、構成が簡単で部品点数が少なく、製造コストを低減し得るルーフドレイン用仮設排水装置を提供することを目的とするものである。
【課題を解決するための手段】
【０００８】
本発明は、受皿部と該受皿部に連成された排水管部とを備え、コンクリートの打設によって建物の露天床面に埋設施工されたルーフドレインの、その排水管部を囲繞するようにしてコンクリートの打設時に樋管挿通孔を形成する筒状スペーサの樋管挿入端側に連設される環状連結部材と、雨水の流入側端部が前記環状連結部材に内嵌され、該流入側端部からテーパ部を介して小径となる流出側端部に仮設排水ホースが取付けられる継手管とを備えてなり、環状連結部材の内周面と継手管の流入側端部の外周面とに設けられた連結手段によって、環状連結部材と継手管とが着脱可能に連結されるようにしたことを特徴とするルーフドレイン用仮設排水装置である。
【０００９】
前記ルーフドレイン用仮設排水装置にあって、前記連結手段が、環状連結部材の内周面に形成された雌螺子部と、継手管の外周面に形成されて前記雌螺子部と螺合可能な雄螺子部とからなる構成が提案される。
【００１０】
また、前記連結手段が、環状連結部材の内周面と継手管の外周面の、その何れか一方の周面に形成された係止突起と、他方の周面に形成されて前記係止突起が係脱可能に係合される係止溝とからなる構成が提案される。
【００１１】
また、本発明は、受皿部と該受皿部に連成された排水管部とを備え、コンクリートの打設によって建物の露天床面に埋設施工されたルーフドレインの、その排水管部を囲繞するようにしてコンクリートの打設時に樋管挿通孔を形成するものであって、該樋管挿通孔の樋管挿入端側に環状連結部が一体形成された筒状スペーサと、雨水の流入側端部が前記環状連結部に内嵌され、該流入側端部からテーパ部を介して小径となる流出側端部に仮設排水ホースが取付けられる継手管とを備えてなり、環状連結部の内周面と継手管の流入側端部の外周面とに設けられた連結手段によって、筒状スペーサと継手管とが着脱可能に連結されるようにしたことを特徴とするルーフドレイン用仮設排水装置である。
【発明の効果】
【００１２】
本発明は、上述したように、受皿部と該受皿部に連成された排水管部とを備え、コンクリートの打設によって建物の露天床面に埋設施工されたルーフドレインの、その排水管部を囲繞するようにしてコンクリートの打設時に樋管挿通孔を形成する筒状スペーサの樋管挿入端側に連設される環状連結部材と、雨水の流入側端部が前記環状連結部材に内嵌され、該流入側端部からテーパ部を介して小径となる流出側端部に仮設排水ホースが取付けられる継手管とを備えてなり、環状連結部材の内周面と継手管の流入側端部の外周面とに設けられた連結手段によって、環状連結部材と継手管とが着脱可能に連結されるようにしたルーフドレイン用仮設排水装置であるから、筒状スペーサの樋管挿入端側に連設される環状連結部材は、コンクリートの打設によって予めコンクリート内に固定しておくことができるため、仮設排水ホースを取付けた継手管を、環状連結部材に対して連結手段を介して連結するだけで、仮設排水ホースを簡単に取付けることができる。また、この取付け状態にあって、環状連結部材と継手管との連結手段による連結を解除するだけで継手管とともに仮設排水ホースを簡単に取り外すことができる。そして、本発明にあっては、環状連結部材と、仮設排水ホースが取付けられる継手管とによってルーフドレイン用仮設排水装置が構成されるものであるため、従来構成に比して、構成が簡単で部品点数が少なく、これによって製造コストを低減することができる。
【００１３】
また、前記連結手段が、環状連結部材の内周面に形成された雌螺子部と、継手管の外周面に形成されて前記雌螺子部と螺合可能な雄螺子部とからなる構成にあっては、環状連結部材の雌螺子部に継手管の雄螺子部を螺合した状態で、継手管を緊締方向または弛緩方向に螺回操作するだけで、環状連結部材に対する継手管の着脱を容易に行うことができる。
【００１４】
また、前記連結手段が、環状連結部材の内周面と継手管の外周面の、その何れか一方の周面に形成された係止突起と、他方の周面に形成されて前記係止突起が係脱可能に係合される係止溝とからなる構成にあっては、係止突起と係止溝との係合または係合解除によって環状連結部材に対する継手管の着脱を容易に行うことができる。
【００１５】
また、筒状スペーサに環状連結部を一体形成し、該環状連結部に継手管を着脱可能に連結するようにした構成にあっては、さらに部品点数が減少し、さらなる製造コストの低減が可能となる。
【図面の簡単な説明】
【００１６】
【図１】第一実施例にかかるルーフドレイン用仮設排水装置１７Ａの使用状態を示す縦断面図である。
【図２】固定装置９によるルーフドレイン１Ａの固定状態を示す縦断面図である。
【図３】打設したコンクリートの硬化後に固定装置９を除去した状態を示す縦断面図である。
【図４】排水管部３に樋管１６を接続した状態を示す施工完了時の縦断面図である。
【図５】第二実施例にかかるルーフドレイン用仮設排水装置１７Ｂの使用状態を示す縦断面図である。
【図６】同上のルーフドレイン用仮設排水装置１７Ｂを構成する環状連結部材８と継手管１８の分離状態を示す縦断面図である。
【図７】第三実施例にかかるルーフドレイン用仮設排水装置１７Ｃの使用状態を示す縦断面図である。
【図８】第四実施例にかかるルーフドレイン用仮設排水装置１７Ｄの使用状態を示す縦断面図である。
【発明を実施するための形態】
【００１７】
以下に、本発明の第一実施例を、図１〜図４に基づいて説明する。
ルーフドレイン１Ａは、図１に示すように、受皿部２と該受皿部２に連成されて下方に延出された排水管部３とを備えてなる縦引きドレイン用として構成されており、バルコニー等の露天床面４に埋設施工されている。ここで、前記受皿部２の上面は、露天床面４に露出する状態で配置される一方、排水管部３は、上面を露天床面４とするコンクリート躯体５内に下方を開放して形成された樋管挿通孔６内に位置するように配置されている。また、樋管挿通孔６の内周面には、ルーフドレイン１Ａの露天床面４への埋設施工時に該ルーフドレイン１Ａを後述するコンクリート型枠１０（図２参照）上に支持するために使用された筒状スペーサ７と環状連結部材８が残留しており、該筒状スペーサ７と、該筒状スペーサ７の下端側となる樋管挿入端側に連設された環状連結部材８とによって樋管挿通孔６が形成されている。尚、環状連結部材８は本発明の要部にかかるものであり、詳しくは後述する。
【００１８】
ルーフドレイン１Ａの埋設施工は、図２に示すように、コンクリートの打設前にルーフドレイン１Ａをコンクリート型枠１０に固定する固定装置９を用いて行われる。この固定装置９は、コンクリート型枠１０の所定位置に固定した円形の位置決め板１１に環状連結部材８の下端を嵌合するとともに、該環状連結部材８の上端に形成された環状突縁８ａ内に筒状スペーサ７の下端を嵌合し、該筒状スペーサ７上にルーフドレイン１Ａの受皿部２を載置することにより、排水管部３を下方突成した受皿部２の下底面と、コンクリート型枠１０との間に、前記排水管部３を囲繞するようにして筒状スペーサ７と環状連結部材８を介装させて、該筒状スペーサ７と環状連結部材８とによってルーフドレイン１Ａをコンクリート型枠１０に対して所要間隔で支持させる一方、受皿部２上に養生蓋を兼ねた挟圧板１２を乗載し、前記位置決め板１１の中央部に立設した螺子杆１３を該挟圧板１２の中心透孔１４に挿通させ、その挟圧板１２上に突出する螺子杆１３の上端部に螺着した蝶ナット１５の緊締作用により、挟圧板１２をコンクリート型枠１０側に圧接して、ルーフドレイン１Ａを固定するように構成されている。
【００１９】
そして、このような固定装置９を用いてルーフドレイン１Ａを固定した状態でコンクリート型枠１０内にコンクリートを打設し、打設したコンクリートが硬化した後、固定装置９を除去すると、図３に示すように、ルーフドレイン１Ａの排水管部３を囲繞する筒状スペーサ７と、該筒状スペーサ７の下部に連設された環状連結部材８とがコンクリート躯体５内に残留して固定されることとなる。これにより、筒状スペーサ７と環状連結部材８は、排水管部３に接続される樋管１６（図４参照）を下方から挿入するための樋管挿通孔６を形成するものとなる。
【００２０】
次に、本発明の要部について説明する。この第一実施例にかかるルーフドレイン用仮設排水装置１７Ａは、図３に示すように、コンクリートの打設時に樋管挿通孔６を形成する筒状スペーサ７の下端側、即ち、筒状スペーサ７の樋管挿入端側に連設される環状連結部材８と、該環状連結部材８に連結手段２５Ａを介して着脱可能に連結される継手管１８とを備えている。環状連結部材８と継手管１８は、ポリ塩化ビニル，ポリエチレン，ＡＢＳ等の硬質合成樹脂や鋳物等の金属からなり、環状連結部材８の内周面には雌螺子部２４ａが形成されている。
【００２１】
一方、継手管１８は、その上部に雨水の流入側端部１９が前記環状連結部材８に内嵌可能な外径で形成されており、該流入側端部１９からテーパ部２０を介して小径となる流出側端部２１が下部に連成されている。該流出側端部２１にはビニルホース等からなる仮設排水ホース２２が外嵌されており、該仮設排水ホース２２が緊締バンド２３の緊締によって脱落不能に取付けられている。また、継手管１８の流入側端部１９の外周面には、前記環状連結部材８の雌螺子部２４ａと螺合可能な雄螺子部２４ｂが形成されている。そして、この雌螺子部２４ａと雄螺子部２４ｂとによって第一実施例における連結手段２５Ａが構成されている。さらに、継手管１８のテーパ部２０には、下側方に突出する複数の指掛け片２６が外周を等分する位置に突成されており、該指掛け片２６によって継手管１８の螺回操作が容易となるようにしている。
【００２２】
かかる構成にあって、筒状スペーサ７の樋管挿入端側に連設される環状連結部材８は、コンクリートの打設によって予めコンクリート内に固定しておくことができるため、仮設排水ホース２２を取付けた継手管１８を、環状連結部材８に対して連結手段２５Ａを介して連結するだけで、仮設排水ホース２２を簡単に取付けることができる。また、この取付け状態にあって、環状連結部材８と継手管１８との連結手段２５Ａによる連結を解除するだけで継手管１８とともに仮設排水ホース２２を簡単に取り外すことができる。
【００２３】
また、前記連結手段２５Ａを、環状連結部材８の内周面に形成された雌螺子部２４ａと、継手管１８の外周面に形成されて前記雌螺子部２４ａと螺合可能な雄螺子部２４ｂとで構成したことにより、環状連結部材８の雌螺子部２４ａに継手管１８の雄螺子部２４ｂを螺合した状態で、継手管１８を緊締方向または弛緩方向に螺回操作するだけで、環状連結部材８に対する継手管１８の着脱を容易に行うことができる。
【００２４】
そして、環状連結部材８と、仮設排水ホース２２が取付けられる継手管１８とによってルーフドレイン用仮設排水装置１７Ａが構成されているため、従来構成に比して、構成が簡単で部品点数が少なくなり、これによって製造コストを低減することができる。
【００２５】
尚、継手管１８は、仮設排水ホース２２を予め取付けることなく環状連結部材８に連結し、然る後、流出側端部２１に仮設排水ホース２２を取付けることも可能である。
【００２６】
図５，図６は、第二実施例を示し、この第二実施例にかかるルーフドレイン用仮設排水装置１７Ｂは、環状連結部材８と継手管１８とを着脱可能に連結する連結手段２５Ｂを備えている。該連結手段２５Ｂは、第一実施例における連結手段２５Ａに代わるものであって、継手管１８の流入側端部１９の外周面に形成された係止突起２７と、環状連結部材８の内周面に形成されて前記係止突起２７が係脱可能に係合される係止溝２８とによって構成されている。ここで、係止突起２７は、継手管１８の流入側端部１９の外周面を周方向に略等分する位置に複数形成されており、少なくとも流入側端部１９の外周面の二箇所に設けられる。また、係止溝２８は、各係止突起２７に対応する位置に夫々設けられる。各係止溝２８は、図６に示すように、環状連結部材８の内周面下端に開口する上下方向の入出溝路２９と、該入出溝路２９の上端から周方向に延成された所定長さの案内溝路３０と、該案内溝路３０の奥端から下方向に延成された係止凹部３１とによって略コ字形に形成されている。その他、第一実施例と共通する構成部分については、第一実施例と同一の符号を付して重複説明を省略する。
【００２７】
かかる構成からなる連結手段２５Ｂにあって、環状連結部材８に継手管１８を連結するには、環状連結部材８の各係止溝２８の入出溝路２９に、継手管１８の各係止突起２７を下方で対向させた状態で、継手管１８を持ち上げて各係止突起２７を各入出溝路２９に嵌め込み、次いで継手管１８を周方向に回動させて各係止突起２７を案内溝路３０の奥端まで移動させた後、継手管１８を引き下げると、各係止突起２７が各係止溝２８の係止凹部３１に係合されて、継手管１８が環状連結部材８に連結される。また、この連結状態を解除するには、上記と逆の手順の操作を行う。このように、連結手段２５Ｂにあっては、係止突起２７と係止溝２８との係合または係合解除によって環状連結部材８に対する継手管１８の着脱を容易に行うことができる。
【００２８】
尚、上記第二実施例にあっては、係止突起２７を継手管１８の外周面に形成する一方、係止溝２８を環状連結部材８の内周面に形成するようにしているが、係止突起２７と係止溝２８は、その配置関係を逆にすることも可能である。即ち、係止突起２７を環状連結部材８の内周面に形成し、係止溝２８を継手管１８の外周面に形成してもよい。
【００２９】
図７は、第三実施例を示し、この第三実施例にかかるルーフドレイン１Ｂは、断面Ｌ形の受皿部２と該受皿部２に連成されて側方に延出された排水管部３とを備えてなる横引きドレイン用として構成されており、バルコニー等の露天床面４の隅に埋設施工されている。前記排水管部３は、露天床面４から立上がる側壁４’に外側方を開放して形成された樋管挿通孔６内に位置するように配置されている。また、樋管挿通孔６の内周面には、ルーフドレイン１Ｂの埋設施工時に使用された筒状スペーサ７と環状連結部材８が残留しており、該筒状スペーサ７と、筒状スペーサ７の外端側となる樋管挿入端側に連設された環状連結部材８とによって樋管挿通孔６が形成されている。
【００３０】
また、継手管１８は、雨水の流入側端部１９が前記環状連結部材８に内嵌され、該流入側端部１９からテーパ部２０を介して小径となる流出側端部２１に仮設排水ホース２２が取付けられている。ここで、継手管１８は、雨水の自然流下が可能なように、流出側端部２１が流入側端部１９より低位となるように形成されている。そして、該継手管１８と環状連結部材８とによって第三実施例におけるルーフドレイン用仮設排水装置１７Ｃが構成されている。また、環状連結部材８の内周面に形成された係止溝２８と、継手管１８の流入側端部１９の外周面に形成された係止突起２７とによって第二実施例と同様の連結手段２５Ｂが構成されており、該連結手段２５Ｂによって、環状連結部材８と継手管１８とが着脱可能に連結されるようになっている。その他、第二実施例と共通する構成部分については、第二実施例と同一の符号を付して重複説明を省略する。
【００３１】
このように、本発明は横引きドレイン用として構成されたルーフドレイン１Ｂにも適用することが可能であり、連結手段２５Ｂを構成する係止突起２７と係止溝２８との係合または係合解除によって環状連結部材８に対する継手管１８の着脱を容易に行うことができる。そして、環状連結部材８と仮設排水ホース２２が取付けられる継手管１８とによってルーフドレイン用仮設排水装置１７Ｃが構成されているため、従来構成に比して、構成が簡単で部品点数が少なくなり、これによって製造コストを低減することができる。
【００３２】
尚、連結手段２５Ｂは、第二実施例と同様に、係止突起２７と係止溝２８の配置関係を逆にすることも可能である。
【００３３】
図８は、第四実施例を示し、この第四実施例にかかるルーフドレイン用仮設排水装置１７Ｄは、コンクリートの打設時に樋管挿通孔６を形成する筒状スペーサ７の樋管挿入端側に環状連結部３２が一体形成されており、該環状連結部３２の内周面に雌螺子部２４ａが形成されている。
【００３４】
また、継手管１８は、雨水の流入側端部１９が前記環状連結部３２に内嵌され、該流入側端部１９からテーパ部２０を介して小径となる流出側端部２１に仮設排水ホース２２が取付けられており、流入側端部１９の外周面には、前記環状連結部３２の雌螺子部２４ａと螺合可能な雄螺子部２４ｂが形成されている。そして、該継手管１８と、環状連結部３２を備えた筒状スペーサ７とによってルーフドレイン用仮設排水装置１７Ｄが構成されている。また、環状連結部３２の内周面に形成された雌螺子部２４ａと、継手管１８の流入側端部１９の外周面に形成された雄螺子部２４ｂとによって第一実施例と同様の連結手段２５Ａが構成されており、該連結手段２５Ａによって、筒状スペーサ７と継手管１８とが着脱可能に連結されるようになっている。その他、第一実施例と共通する構成部分については、第一実施例と同一の符号を付して重複説明を省略する。
【００３５】
かかる構成にあっては、筒状スペーサ７に環状連結部３２を一体形成することで、さらに部品点数が減少し、さらなる製造コストの低減が可能となる。
【００３６】
尚、この第四実施例にあって、雌螺子部２４ａと雄螺子部２４ｂとで構成される連結手段２５Ａによって筒状スペーサ７と継手管１８とを着脱可能に連結するようにしているが、該連結手段２５Ａに代えて、第二実施例のように係止突起２７と係止溝２８とで構成される連結手段２５Ｂを適用することも可能である。
【符号の説明】
【００３７】
１Ａ，１Ｂ  ルーフドレイン
２  受皿部
３  排水管部
４  露天床面
６  樋管挿通孔
７  筒状スペーサ
８  環状連結部材
１７Ａ，１７Ｂ，１７Ｃ，１７Ｄ  ルーフドレイン用仮設排水装置
１８  継手管
１９  流入側端部
２０  テーパ部
２１  流出側端部
２２  仮設排水ホース
２４ａ  雌螺子部
２４ｂ  雄螺子部
２５Ａ，２５Ｂ  連結手段
２７  係止突起
２８  係止溝
３２  環状連結部
【図１】
0005582964.tif 000002
【図２】
0005582964.tif 000003
【図３】
0005582964.tif 000004
【図４】
0005582964.tif 000005
【図５】
0005582964.tif 000006
【図６】
0005582964.tif 000007
【図７】
0005582964.tif 000008
【図８】
0005582964.tif 000009